(57)【要約】【課題】  発光素子による発光状態を最適な状態にして良好に時刻表示部を照明できるようにする。【解決手段】  非駆動時に透明な状態を呈する発光素子１３を指針１１の上方に設けられた。従って、発光素子１３が非駆動時に透明な状態を呈するので、指針１１の上側に発光素子１３を設けても、この発光素子１３を透して指針１１および文字板９を視認することができる。また、発光素子１３が駆動時に発光してデータを表示する表示用の発光パターン１５と、指針１１および文字板９を照明する照明用の発光パターン１６とを有する。従って、発光素子１３をＣＰＵで駆動制御することにより、表示用の発光パターン１５でデータを表示することができ、照明用の発光パターン１６の発光面積を選択して、明るさを調節することができる。これにより、最適な明るさで指針１１および文字板９を照明することができる。【選択図】        図２
2005351725.tif 000002
【特許請求の範囲】
【請求項１】
時刻を表示する時刻表示部と、
この時刻表示部の上側と下側との一方に設けられ、非駆動時に透明な状態を呈し、駆動時に発光してデータを表示すると共に前記時刻表示部を照明するための発光パターンを有する透明な発光素子と、
この透明な発光素子の前記発光パターンを選択的に発光させる駆動制御手段と
を備えたことを特徴とする時刻表示装置。
【請求項２】
前記時刻表示部は、指針を運針するアナログ機構部を有し、このアナログ機構部の前記指針の上側と下側との一方に前記発光素子が設けられていることを特徴とする請求項１に記載の時刻表示装置。
【請求項３】
前記発光素子の下側に太陽電池が配置されていることを特徴とする請求項１または２に記載の時刻表示装置。
【発明の詳細な説明】
【技術分野】
【０００１】
この発明は、時計などの電子機器に用いられる時刻表示装置に関する。
【背景技術】
【０００２】
例えば、指針式の腕時計においては、特許文献１に開示されているように、腕時計ケース内に設けられた時計モジュールが、指針を運針するアナログ機構部と、発光機能を有する文字板装置とを備え、アナログ機構部の指針が文字板装置の上方を運針し、この状態で文字板装置を発光させて指針を照明するように構成したものがある。
【特許文献１】特開平９−５４１７７号公報
【０００３】
このような腕時計の文字板装置は、時字が印刷された透明なフィルムと、このフィルムの下面に配置された発光素子と、この発光素子の下面に配置された化粧板とを備えた構成になっている。この場合、発光素子は、ＥＬ（エレクトロルミネッセンス）素子からなり、電圧を印加しない非駆動時に透明な状態を呈し、電圧を印加した駆動時に発光してフィルムの時字、指針、および化粧板を照明するように構成されている。
【発明の開示】
【発明が解決しようとする課題】
【０００４】
しかしながら、このような従来の腕時計では、暗い所で文字板装置の発光素子を発光させてフィルムの時字、指針、および化粧板を照明することはできるが、発光素子による照明が常に一定の明るさであり、また発光素子の発光部分が常に一定の個所であるから、外部状況によっては、良好に指針および時字による時刻表示を視認することができないことがある。
【０００５】
すなわち、発光素子による照明が常に一定の明るさである場合には、外部の明るさの状況によっては、発光素子による照明が不足したり、逆に明かる過ぎたりし、良好に時刻表示を視認することができないことがある。例えば、夕暮れの薄暗いときには、発光素子による照明が明かる過ぎて時刻表示が見えにくい。逆に、夜中などの真っ暗なときには、発光素子による照明が不足して時刻表示が見えにくい。
【０００６】
また、発光素子の発光部分が常に一定の個所である場合には、発光素子の発光部分が指針に近づき過ぎたり、また指針から遠ざかり過ぎたりするため、常に一定の明るさで指針を照明することができず、良好に指針および時字による時刻表示を視認することができないことがある。
【０００７】
この発明が解決しようとする課題は、発光素子による発光状態を最適な状態にして良好に時刻表示部を照明することができる時刻表示装置を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図１２に示すように、時刻を表示する時刻表示部（文字板９および指針１１、または表示素子４２）と、この時刻表示部の上側と下側との一方に設けられ、非駆動時に透明な状態を呈し、駆動時に発光してデータを表示すると共に前記時刻表示部を照明するための発光パターン（１５、１６、３０、および３１ａ〜３３ａ）を有する透明な発光素子（発光素子１３、第１〜第３発光素子３１〜３３）と、この透明な発光素子の前記発光パターンを選択的に発光させる駆動制御手段（ＣＰＵ１８、発光駆動回路２４、および照度センサ２５）とを備えたことを特徴とする時刻表示装置である。
【００１０】
請求項２に記載の発明は、図１〜図１０に示すように、前記時刻表示部が、指針（１１）を運針するアナログ機構部（アナログムーブメント８）を有し、このアナログ機構部の前記指針の上側と下側との一方に前記発光素子（発光素子１３、第１〜第３発光素子３１〜３３）が設けられていることを特徴とする請求項１に記載の時刻表示装置である。
【００１１】
請求項３に記載の発明は、図４、図１０、および図１２に示すように、前記発光素子（発光素子１３、第１〜第３発光素子３１〜３３）の下側に太陽電池（２８）が配置されていることを特徴とする請求項１または２に記載の時刻表示装置である。
【発明の効果】
【００１２】
請求項１に記載の発明によれば、時刻を表示する時刻表示部の上側と下側との一方に設けられた発光素子が、非駆動時に透明な状態を呈するので、時刻表示部の上側に発光素子を設けても、この発光素子を透して時刻表示部を視認することができる。また、発光素子が駆動時に発光してデータを表示すると共に時刻表示部を照明するための発光パターンを有し、この発光素子の駆動を駆動制御手段が制御して発光素子の発光パターンを選択的に発光させるので、選択された発光パターンによってデータを表示することができると共に、選択された発光パターンによって良好に時刻表示部を照明することができる。
【００１３】
特に、発光素子の駆動を駆動制御手段が制御して発光素子の発光パターンを選択的に発光させて時刻表示部を照明するときに、例えば発光パターンの発光面積を選択することにより、照明の明るさを変えることができ、また発光パターンの発光部分を選択することにより、発光パターンにおける発光部分を変えて時刻表示部を効率良く照明することができる。これにより、発光素子による発光状態を最適な状態にして良好に時刻表示部を照明することができる。
【００１４】
請求項２に記載の発明によれば、時刻表示部が指針を運針するアナログ機構部を有し、このアナログ機構部の指針の上側と下側との一方に透明な発光素子が設けられていることにより、請求項１に記載の発明と同様、発光素子の駆動を駆動制御手段が制御して発光素子の発光パターンを選択的に発光させるときに、例えば発光パターンの発光面積を選択して指針を照明する明るさを変えることができ、また発光パターンの発光部分を選択することにより、運針する指針に対応する部分、または指針に対応しない部分の発光パターンを部分的に発光させることができ、これにより指針を見やすく且つ効率良く照明することができる。
【００１５】
請求項３に記載の発明によれば、発光素子の下側に太陽電池が配置されていることにより、外部光が透明な発光素子を透過して太陽電池に照射されるので、この照射された光によって太陽電池を発電させることができ、発電した電力を利用して発光素子を発光させることができ、これにより省電力化を図ることができる。
【発明を実施するための最良の形態】
【００１６】
（実施形態１）
以下、図１〜図３を参照して、この発明を腕時計に適用した実施形態１について説明する。
図１はこの発明を適用した腕時計の拡大断面図である。この腕時計は、同図に示すように、腕時計ケース１を備えている。この腕時計ケース１の上部外周にはベゼル２が取り付けられており、腕時計ケース１の上部中央には時計ガラス３が装着されている。また、この腕時計ケース１の内部には、時計モジュール４が設けられている。さらに、腕時計ケース１の下面には裏蓋５が防水パッキン５ａを介して取り付けられており、この腕時計ケース１の側面には押釦６が設けられている。
【００１７】
時計モジュール４は、図１に示すように、ハウジング７を備えており、このハウジング７内には、アナログムーブメント８が配置されているほか、回路基板や電池などの各種の電子部品（図示せず）が配置されている。また、このハウジング７の上面には、文字板９が配置されている。この場合、アナログムーブメント８は、指針軸１０が文字板９の貫通孔９ａを通してその上方に突出し、この突出した指針軸１０の上端部に時針、分針、秒針などの指針１１が取り付けられ、この指針１１が文字板９の上方を運針するように構成されている。この文字板９および指針１１によって時刻表示部が構成されている。
【００１８】
この時刻表示部の上方、つまり指針１１の上方には、図１に示すように、透明な発光素子１３が配置されている。すなわち、この発光素子は、その上面の外周縁が腕時計ケース１の内面に設けられた鍔部１ａの下面に当接し、下面の外周縁が文字板９の外周部上に配置されたほぼリング形状の見切り部材１４の上面に当接し、この状態で腕時計ケース１の鍔部１ａと見切り部材１４との間に保持されて指針１１の上方に配置されている。
【００１９】
また、この発光素子１３は、上下一対の透明なフィルムの対向面に透明電極を形成すると共に、このフィルムの対向面間にＥＬ層（エレクトロルミネッセンス層）を設けた構造の透明な有機ＥＬ素子からなり、上下の透明電極に電圧を印加しない非駆動時に透明な状態を呈し、上下の透明電極に電圧を印加した駆動時にＥＬ層が発光してデータを表示すると共に時刻表示部を照明するための複数の発光パターン１５、１６が形成された構成になっている。
【００２０】
この場合、複数の発光パターン１５、１６のうち、表示用の発光パターン１５は、図２（ａ）に示すように、データを表示するセグメントタイプの表示パターンであり、所定の表示領域内に形成されている。また、照明用の発光パターン１６は、図２（ｂ）および図２（ｃ）に示すように、時刻表示部を照明するドットタイプの照明パターンであり、文字板９の周縁部に沿うほぼリング状に形成され、外部の明るさの状況に応じて発光面積が選択されるように構成されている。
【００２１】
次に、図３を参照して、この腕時計の回路構成について説明する。
図３はこの実施形態１における回路ブロックを示したものであり、以下にその動作を説明する。発信器１７から出力される基準信号が、ＣＰＵ（中央演算装置）１８に入力される。ＣＰＵ１８は、入力された基準信号を分周して計時カウント動作を行い、日付や時刻などのデータを得て半導体メモリ１９に記憶すると共に１分周期の信号を得る。
【００２２】
この１分周期の信号はモータ駆動回路２０に送られ、アナログムーブメント８のモータ２１が駆動され、このモータ２１により輪列機構２２を介して指針１１が駆動される。また、半導体メモリ１９は、氏名や電話番号などのデータを記憶可能で、入力部２３からの指示により氏名や電話番号などのデータを記憶する。
【００２３】
透明な発光素子１３は、通常は、透明な状態を呈し、この発光素子１３を透して指針１１が見る。そして、入力部２３からＣＰＵ１８にデータ出力の指示があると、半導体メモリ１９から日付や時刻などのデータ、あるいは氏名や電話番号などのデータを読み出し、発光駆動回路２４に送る。発光駆動回路２４は、読み出されたデータに従って発光素子１３に信号電圧を印加し、発光素子１３を発光表示させる。
【００２４】
また、照度センサ２５の出力はＣＰＵ１８に入力されていて、スイッチ部２６が操作されると、照度センサ２５の出力から周囲の明るさを判断し、基準よりも明るいときには、図２（ｂ）に示すように、照明用の発光パターン１６のうち、外周側のほぼ半分の領域を点灯し、基準よりも暗いときには、図２（ｃ）に示すように、照明用の発光パターン１６の全領域を点灯する。このとき、発光素子１３の表示用の発光パターン１５で、日付や時刻などのデータ、あるいは氏名や電話番号などのデータが表示されていた場合は、その表示を消去する。
【００２５】
このように、この腕時計では、指針１１の上方に設けられた発光素子１３が、電圧を印加しない非駆動時に透明な状態を呈するので、指針１１の上方に発光素子１３を設けても、この発光素子１３を透して指針１１および文字板９を視認することができ、これにより通常の腕時計と同様、時刻を知ることができる。
【００２６】
また、この発光素子１３は、電圧が印加された駆動時に発光してデータを表示する発光パターン１５と、指針１１および文字板９を照明する発光パターン１６とを有し、ＣＰＵ１８からの指示に基づいて発光駆動回路２４が発光素子１３を駆動制御して複数の発光パターン１５、１６を選択的に発光させるので、図２（ａ）に示すように、表示用の発光パターン１５によってデータを表示することができると共に、図２（ｂ）および図２（ｃ）に示すように、照明用の発光パターン１６によって外部の状況に応じた明るさで指針１１および文字板９を照明することができる。
【００２７】
すなわち、照度センサ２５の出力からＣＰＵ１８が周囲の明るさを判断し、基準よりも明るいか暗いかによって照明用の発光パターン１６の発光面積を選択し、これにより指針１１および文字板９を最適な明るさで照明することができる。例えば、基準よりも明るいとき、つまり夕暮れの薄暗いときには、図２（ｂ）に示すように、照明用の発光パターン１６における外周側のほぼ半分の領域を選択して点灯させることにより、発光パターン１６の発光面積を小さくして照明を少し落し、これにより指針１１および文字板９が明かる過ぎないように照明することができる。
【００２８】
また、基準よりも暗いとき、例えば夜中などの真っ暗なときには、図２（ｃ）に示すように、照明用の発光パターン１６の全領域を選択して点灯させることにより、発光パターン１６の発光面積を広くして照明を明るくし、指針１１および文字板９を明るく照明することができる。これにより、外部の明るさの状況に応じて、最適な明るさで良好に指針１１および文字板９を照明することができる。
【００２９】
なお、上記実施形態１では、時計モジュール４のハウジング７の上面に文字板９を設けただけの構造であるが、これに限らず、例えば図４に示す変形例のように、文字板２７を透明な材料で形成し、この文字板２７の下面、つまり文字板２７とハウジング７との間に太陽電池２８を設けた構造でも良い。このような構造では、外部光が透明な発光素子１３および透明な文字板２７を透過して太陽電池２８に照射されるので、この照射された光によって太陽電池２８を発電させることができ、発電した電力で時計モジュール４を駆動することができ、これにより省電力化を図ることができる。
【００３０】
（実施形態２）
次に、図５を参照して、この発明を腕時計に適用した実施形態２について説明する。なお、図１〜図３に示された実施形態１と同一部分には同一符号を付して説明する。
この腕時計は、図５に示すように、指針１１の下側に透明な発光素子１３を設けた構造で、これ以外は実施形態１とほぼ同じ構造になっている。すなわち、この発光素子１３は、実施形態１と同様、非駆動時に透明な状態を呈し、駆動時にＥＬ層が発光してデータを表示する発光パターン１５と、時刻表示部つまり指針１１および文字板９を照明する発光パターン１６とが形成された構成になっている。
【００３１】
また、この発光素子１３は、図５に示すように、指針１１の下側に位置する文字板９の上面に設けられており、この発光素子１３には、アナログムーブメント８の指針軸１０が挿入する貫通孔１２ａが文字板９の貫通孔９ａに対応して設けられている。指針軸１０は、文字板９の貫通孔９ａおよび発光素子１３の貫通孔１２ａを通して発光素子１３の上方に突出し、この突出した指針軸１０の上端部に指針１１が取り付けられている。これにより、指針１１は、発光素子１３の上方を運針するように構成されている。
【００３２】
このような腕時計においても、発光素子１３が電圧を印加しない非駆動時に透明な状態を呈するので、指針１１の下側に位置する文字板９の上面に発光素子１３を設けても、この発光素子１３を透して文字板９を視認することができ、これにより実施形態１と同様、指針１１および文字板９によって時刻を知ることができる。
【００３３】
また、この発光素子１３においても、電圧が印加された駆動時に発光してデータを表示する発光パターン１５と、指針１１および文字板９を照明する発光パターン１６とを有し、この発光素子１３をＣＰＵ１８からの指示に基づいて発光駆動回路２４が駆動制御して複数の発光パターン１５、１６を選択的に発光させるので、実施形態１と同様、表示用の発光パターン１５でデータを表示することができると共に、照明用の発光パターン１６で外部の明るさに応じて発光面積を選択して指針１１および文字板９を良好に照明することができる。
【００３４】
（実施形態３）
次に、図６を参照して、この発明を腕時計に適用した実施形態３について説明する。この場合には、図５に示された実施形態２と同一部分に同一符号を付して説明する。
この腕時計は、発光素子１３の発光パターン３０が指針１１の運針領域に対応する部分、つまり文字板９の上面に対応する部分の領域全体がドット状に形成され、運針する指針１１に対応する部分が選択されて発光するように構成し、これ以外は実施形態２とほぼ同じ構成になっている。この発光パターン３０も、実施形態１の図２（ａ）に示したように、指針１１を照明しないときに日付や時刻などのデータを発光表示するように構成されている。
【００３５】
このような腕時計においても、実施形態２と同様、発光素子１３が非駆動時に透明な状態を呈するので、この発光素子１３を透して文字板９を視認することができ、これにより指針１１および文字板９によって時刻を知ることができるほか、特にＣＰＵ１８からの指示に基づいて発光駆動回路２４が発光素子１３の駆動を制御して、運針する指針１１に対応する部分の発光パターン３０を選択して発光させることができ、これにより指針１１を良好に照明することができる。
【００３６】
なお、上記実施形態３では、指針１１に対応する部分の発光パターン３０を選択して発光させるように構成した場合について述べたが、これに限らず、例えば図７に示した変形例のように、運針する指針１１に対応しない部分の発光パターン３０を選択して発光させるように構成しても良い。このように構成しても、実施形態３と同様、指針１１を良好に照明することができる。この場合には、必ずしも発光素子１３を指針１１の下側で且つ文字板９の上面に設ける必要はなく、実施形態１と同様、指針１１の上方に設けても良い。
【００３７】
（実施形態４）
次に、図８および図９を参照して、この発明を腕時計に適用した実施形態４について説明する。この場合にも、図５に示された実施形態２と同一部分に同一符号を付して説明する。
この腕時計は、図８に示すように、発光色の異なる透明な第１〜第３発光素子３１〜３３を積層し、この第１〜第３発光素子３１〜３３を指針１１の下側で且つ文字板９の上面に設けた構造で、これ以外は実施形態２とほぼ同じ構造になっている。
【００３８】
この場合、第１〜第３発光素子３１〜３３は、実施形態１と同様、それぞれ非駆動時に透明な状態を呈し、駆動時にＥＬ層が発光する構造の透明な有機ＥＬ素子からなり、各ＥＬ層に発光色の異なる発光剤を混入することにより、それぞれ発光色が異なるように構成されている。例えば、第１発光素子３１は発光色が赤色に構成され、第２発光素子３２は発光色が緑色に構成され、第３発光層３３は発光色がアンバー色に構成されている。また、これら第１〜第３発光素子３１〜３３は、それぞれ表示用の各発光パターン（図示せず）と照明用の各発光パターン３１ａ〜３３ａとが設けられている。
【００３９】
照明用の各発光パターン３１ａ〜３３ａは、図９に示すように、それぞれ文字板９の外周縁に沿って形成され、指針１１の先端に対応する部分が選択されて三角形状に発光するように構成されている。例えば、第１発光素子３１の発光パターン３１ａは指針１１の時針の先端に対応して三角形状に赤色で発光し、第２発光素子３２の発光パターン３２ａは指針１１の分針の先端に対応して三角形状に緑色で発光し、第３発光素子３３の発光パターン３３ａは指針１１の秒針の先端に対応して三角形状にアンバー色で発光するように構成されている。
【００４０】
このような腕時計においても、実施形態２と同様、第１〜第３発光素子３１〜３３が電圧を印加しない非駆動時に透明な状態を呈するので、これら第１〜第３発光素子３１〜３３を透して文字板９を視認することができ、これにより指針１１および文字板９によって時刻を知ることができる。
【００４１】
また、この腕時計では、ＣＰＵ１８からの指示に基づいて発光駆動回路２４が第１〜第３発光素子３１〜３３の駆動を制御して、図９に示すように、運針する指針１１の各先端に対応する部分の各発光パターン３１ａ〜３３ａをそれぞれ選択して三角形状に各発光色で発光させることができ、これにより指針１１の時針、分針、秒針の各先端をそれぞれ異なる発光色で照明することができる。この場合、指針１１を照明しないときには、表示用の各発光パターン（図示せず）によって、実施形態１の図２（ａ）に示したように、日付や時刻などのデータをカラーで表示することができる。
【００４２】
なお、上記実施形態２〜４およびその各変形例においても、実施形態１と同様、時計モジュール４のハウジング７の上面に文字板９を設けただけでの構造であるが、これに限らず、例えば図１０に示す変形例のように、文字板２７を透明な材料で形成し、この文字板２７の下面つまり文字板２７とハウジング７との間に太陽電池２８を設けた構造でも良い。このような構造でも、実施形態１の変形例と同様、外部光が発光素子１３または第１〜第３発光素子３１〜３３、および文字板２７を透過して太陽電池２８に照射されるので、この照射された光によって太陽電池２８を発電させることができ、発電した電力で時計モジュール４を駆動することができ、これにより省電力化を図ることができる。
【００４３】
（実施形態５）
次に、図１１を参照して、この発明を腕時計に適用した実施形態５について説明する。この場合には、図１〜図３に示された実施形態１と同一部分に同一符号を付して説明する。
この腕時計は、腕時計ケース１内に組み込まれた時計モジュール４０が実施形態１と異なる構造で、これ以外は実施形態１と同じ構造になっている。すなわち、この時計モジュール４０は、ハウジング４１の上部に時刻表示部である表示素子４２を設け、この表示素子４２の上面に透明な発光素子１３を設けた構成になっている。
【００４４】
この場合、表示素子４２は、液晶表示素子やＥＬ表示素子などの平面型の表示素子からなり、日付や時刻などの情報を電気光学的に表示するように構成されている。また、発光素子１３は、実施形態１と同様、透明な有機ＥＬ素子からなり、上下の透明電極に電圧を印加しない非駆動時に透明な状態を呈し、上下の透明電極に電圧を印加した駆動時にＥＬ層が発光してデータを表示すると共に表示素子４２を照明するための複数の発光パターン１５、１６が形成された構成になっている。
【００４５】
このような腕時計においても、発光素子１３が電圧を印加しない非駆動時に透明な状態を呈するので、表示素子４２の上面に発光素子１３を設けても、この発光素子１３を透して表示素子４２に表示された日付や時刻などの情報を視認することができ、これにより通常のデジタル式の腕時計と同様、日付や時刻を知ることができる。
【００４６】
また、発光素子１３は電圧を印加した駆動時に発光してデータを表示する発光パターン１５と、表示素子４２を照明する発光パターン１６とを有し、ＣＰＵ１８からの指示に基づいて発光駆動回路２４が発光素子１３の駆動を制御して複数の発光パターン１５、１６を選択的に発光させるので、実施形態１と同様、表示用の発光パターン１５によって図２（ａ）に示したようにデータを表示することができると共に、図２（ｂ）および図２（ｃ）に示したように、照明用の発光パターン１６によって表示素子４２を照明することができる。
【００４７】
すなわち、ＣＰＵ１８が照度センサ２５の出力から周囲の明るさを判断し、基準よりも明るいか暗いかによって発光パターン１６の発光面積を選択することにより、最適な明るさで表示素子４２を照明することができる。例えば、基準よりも明るいときには、照明用の発光パターン１６の外周側のほぼ半分の領域を選択して点灯させることにより、発光パターン１６の発光面積を小さくして照明を少し暗くし、明かる過ぎないように表示素子４２を照明することができる。
【００４８】
また、基準よりも暗いときには、照明用の発光パターン１６の全領域を選択して点灯させることにより、発光パターン１６の発光面積を広くして照明を明るくし、これにより表示素子４２を明るく照明することができる。このように、外部の明るさの状況に応じて明るさを選択し、これにより良好に表示素子４２を照明することができる。
【００４９】
なお、上記実施形態５では、時計モジュール４０のハウジング４１の上部に配置された表示素子４２の上面に発光素子１３を設けただけの構造であるが、これに限らず、例えば図１２に示す変形例のように、透明な発光素子１３の下面つまり発光素子１３と表示素子４２との間に太陽電池２８を設けた構造でも良い。この場合には、太陽電池２８に表示用の開口部（図示せず）を設け、この表示用の開口部を通して表示素子４２に表示された情報が外部から見えるように構成すれば良い。
【００５０】
このような構造でも、外部光が透明な発光素子１３を透過して太陽電池２８に照射されるので、この照射された光によって太陽電池２８を発電させることができ、発電した電力で時計モジュール４０を駆動することができ、これにより省電力化を図ることができる。
【００５１】
また、上記実施形態１〜５およびその各変形例では、腕時計に適用した場合について述べたが、これに限らず、トラベルウオッチ、目覚まし時計、置き時計、掛け時計などの各種の時計、あるいは携帯電話機などの電子機器に用いられる時刻表示装置に広く適用することができる。
【図面の簡単な説明】
【００５２】
【図１】この発明を腕時計に適用した要部の拡大断面図である。（実施形態１）
【図２】図１の腕時計の発光素子による発光状態を示し、（ａ）は表示用の発光パターンでデータを表示した状態の正面図、（ｂ）は照明用の発光パターンのほぼ半分の領域を選択して発光させた状態を示した正面図、（ｃ）は照明用の発光パターンの全領域を選択して発光させた状態を示した正面図である。
【図３】図１の腕時計の回路構成を示したブロック図である。
【図４】図１の腕時計において文字板とハウジングとの間に太陽電池を設けた場合の変形例を示した要部の拡大断面図である。
【図５】この発明を腕時計に適用した要部の拡大断面図である。（実施形態２）
【図６】この発明を腕時計に適用して発光素子で指針を照明した状態の正面図である。（実施形態３）
【図７】図６の発光素子の発光パターンによる発光状態の変形例を示した正面図である。
【図８】この発明を腕時計に適用した要部の拡大断面図である。（実施形態４）
【図９】図８の腕時計において発光素子の発光状態を示した正面図である。
【図１０】図４〜図９の腕時計において文字板とハウジングとの間に太陽電池を設けた場合の変形例を示した要部の拡大断面図である。
【図１１】この発明を腕時計に適用した要部の拡大断面図である。（実施形態５）
【図１２】図１１の腕時計において発光素子と表示素子との間に太陽電池を設けた場合の変形例を示した要部の拡大断面図である。
【符号の説明】
【００５３】
１  腕時計ケース
３  時計ガラス
４、４０  時計モジュール
５  裏蓋
８  アナログムーブメント
９、２７  文字板
１０  指針軸
１１  指針
１３  発光素子
１５、１６、３０  発光パターン
１８  ＣＰＵ
２４  発光駆動回路
２５  照度センサ
２８  太陽電池
３１〜３３  第１〜第３発光素子
３１ａ〜３３ａ  発光パターン
４２  表示素子
【図１】
2005351725.tif 000003
【図２】
2005351725.tif 000004
【図３】
2005351725.tif 000005
【図４】
2005351725.tif 000006
【図５】
2005351725.tif 000007
【図６】
2005351725.tif 000008
【図７】
2005351725.tif 000009
【図８】
2005351725.tif 000010
【図９】
2005351725.tif 000011
【図１０】
2005351725.tif 000012
【図１１】
2005351725.tif 000013
【図１２】
2005351725.tif 000014